(57)【特許請求の範囲】
【請求項１】
電話回線側差込式端子および端末装置側差込式端子が搭載され、制御回路が形成されたＰＣ板と、このＰＣ板に結合される端子ブロックと、これらを収納するケースとからなり、電話回線と端末装置との間に接続される伝送制御装置において、前記各差込式端子は、これらの前面部に突起部が形成されており、前記端子ブロックは、前記各差込式端子が垂直方向に挿入される枠体と、これらの枠体を一体的に支持し、前記ケース内に固定する水平板とからなり、また、前記各枠体は、前記各差込式端子が挿入されたとき、前記各差込式端子の後面と接する背面板が、その両脇に形成されたスリットにより湾曲可能なように分離されて弾性力を有しており、前記各差込式端子の前面突起部が通過する際、前記背面板が変形して枠体の開口面積が拡大するように弾性変形可能に形成されており、前記前面突起部が前記各枠体を通過した後は、前記突起部が開口面積が元の大きさに復帰した前記枠体の上端に係合するように構成されていることを特徴とする伝送制御装置。
【請求項２】
前記端子ブロックの水平板には、前記電話回線側差込式端子と前記端末装置側差込式端子との間の位置に仕切り板が設けられていることを特徴とする請求項１記載の伝送制御装置。
【請求項３】
前記端子ブロックの水平板には、ストリップゲージ用の溝を設けたことを特徴とする請求項２記載の伝送制御装置。
【発明の詳細な説明】
【０００１】
【発明の属する技術分野】
本発明は、電話回線と例えば、電子式電力量計あるいはガスメータ等の端末装置との間に接続される伝送制御装置に関し、特に、ケーブル接続用の端子が搭載された印刷配線基板（以下ＰＣ板という。）を伝送制御装置の収納ケース内に固定するための端子ブロックの構造に関するものである。
【０００２】
【従来の技術】
従来、電話回線と電子式電力量計あるいはガスメータ等の端末装置との間に接続される伝送制御装置は、電話回線接続用の差込式端子および端末装置接続用の差込式端子が端部に固定され、伝送制御用の電子回路を搭載したＰＣ板を備えている。そしてこのＰＣ板は、端子ブロックにより伝送制御装置全体を収納するプラスチック製のケース内に固定される。
【０００３】
図６は、このような従来の伝送制御装置の構造を分解して示す斜視図で、（Ａ）はＰＣ板１と端子ブロック２の組み合わせ前の状態を示す図、（Ｂ）はＰＣ板１に端子ブロック２が組み合わせた状態を示す図、（Ｃ）はケース１１とカバー１４とからなる筐体を示す図である。
【０００４】
同図（Ａ）に示されるように、長方形のＰＣ板１の上面には、その前端部両側にそれぞれ電話回線側差込式端子３および端末装置側差込式端子４がハンダ付けにより固定されている。これら差込式端子３および４のリード部７はＰＣ板１の下面に突出するように固定されている。またＰＣ板１の上面には、伝送制御回路を構成する電子部品が搭載され、図示しないが印刷配線により相互に接続されている。
【０００５】
端子ブロック２は、ＰＣ板１の面に対して垂直方向の面を有する長方形のプラスチック板により構成され、長方形の板の幅はＰＣ板１の幅とほぼ同じである。端子ブロック２はその垂直面を貫通して、電話回線側端子穴５および端末装置側端子穴６が形成されている。端子ブロック２の底辺中央部にはネジ孔９を有する水平突起部が形成されている。このネジ孔９は、ＰＣ板１の前端中央部に形成されたネジ孔１０に対応して設けられている。
【０００６】
ＰＣ板１は端子ブロック２に、図６（Ｂ）に示されるように組み合わせられる。すなわち、ＰＣ板１の前縁を端子ブロック２の垂直面に向かって水平に移動し、ＰＣ板１に固定された電話回線側差込式端子３および端末装置側差込式端子４をそれぞれ端子ブロック２にあけられている電話回線側端子穴５および端末装置側端子穴６を通過させ、電話回線側差込式端子３および端末装置側差込式端子４が端子ブロック２の垂直面の反対側に位置するように組み合わされ一体化される。
【０００７】
このとき、ＰＣ板１の裏面に突出した差込式端子３および４のリード部分７が端子ブロック２の端子穴５および端子穴６を通過するように、これらの穴の下辺部の端子ブロック２にはスリット８が形成されている。
【０００８】
このようにＰＣ板１を端子ブロック２に組み合わせた状態で、同図（Ｃ）に示されるように、両者は流線型の屋根を有するケース１１に収納され、ネジ１２を端子ブロック２のネジ孔９、ＰＣ板１のネジ孔１０およびケース１１のネジ孔１３を貫通させることにより、ＰＣ板１および端子ブロック２がケース１１内に固定される。
【０００９】
この後、ケース１１にカバー１４を被せ、このカバー１４の前面に設けられたカバーネジ１５を、ケース１１のカバー取付けネジ孔１６にネジ止めして伝送制御装置が完成される。
【００１０】
【発明が解決しようとする課題】
しかしながら、このような従来の伝送制御装置の構造には、次のような欠点があった。第１に、ＰＣ板１を端子ブロック２に組み合わせる際、ＰＣ板１上に固定された差込式端子３および４それぞれが端子穴５および６を容易に通過できるように、端子ブロック２にリード部７を通過させるスリット８が形成されているものの、これだけでは十分でないため、さらに端子穴５および６の寸法を、差込式端子３，４の外形寸法に対し、若干余裕を設ける必要があった。その結果、両者の間に隙間が形成され、伝送制御装置が屋外に設置される場合、この間隙から雨水や蟻等の昆虫がＰＣ板１上に侵入し、電子部品や配線パターンを腐食、劣化させてしまうという問題があった。
【００１１】
第２に、ＰＣ板１を端子ブロック２に組み合わせた状態で、ケース１１に収納しネジ止めする時には、ＰＣ板１は端子ブロック２に固定されていないため、これらを人手や冶具などにより保持しながら作業する必要があり、組立作業の効率が悪いという欠点があった。
【００１２】
第３に、端子ブロック２を製造するための樹脂モールド金型は、差込式端子３、４のリード部分７が通過するスリット８を形成するために、スライド型が必要となる。このため金型が複雑になり、型代が高価となるという欠点があった。
【００１３】
そこで、本発明の目的は、これらの欠点を改善し、気密性が高く、組み立てが容易で、かつ安価に製造できる伝送制御装置構造を提供することにある。
【００１４】
【課題を解決するための手段】
本発明の伝送制御装置の端子ブロックは、電話回線側差込式端子および端末装置側差込式端子が搭載され、制御回路が形成されたＰＣ板と、このＰＣ板に結合される端子ブロックと、これらを収納するケースとからなり、電話回線と端末装置との間に接続される伝送制御装置において、前記各差込式端子は、これらの前面部に突起部が形成されており、前記端子ブロックは、前記各差込式端子が垂直方向に挿入される枠体と、これらの枠体を一体的に支持し、前記ケース内に固定する水平板とからなり、また、前記各枠体は、前記各差込式端子が挿入されたとき、前記各差込式端子の後面と接する背面板が、その両脇に形成されたスリットにより湾曲可能なように分離されて弾性力を有しており、前記各差込式端子の前面突起部が通過する際、前記背面板が変形して枠体の開口面積が拡大するように弾性変形可能に形成されており、前記前面突起部が前記各枠体を通過した後は、前記突起部が開口面積が元の大きさに復帰した前記枠体の上端に係合するように構成されていることを特徴とするものである。
【００１５】
また、本発明の伝送制御装置の端子ブロックにおいては、前記端子ブロックの水平板には、前記電話回線側差込式端子と前記端末装置側差込式端子との間の位置に仕切り板が設けられていることを特徴とするものである。
【００１６】
さらに、本発明の伝送制御装置の端子ブロックにおいては、 前記端子ブロックの水平板には、ストリップゲージ用の溝を設けたことを特徴とするものである。
【００１７】
【発明の実施の形態】
以下、本発明の実施形態を図１乃至図４により説明する。
【００１８】
図１は、本発明の伝送制御装置を分解して示す斜視図であり、ＰＣ板１´、端子ブロック２´、ケース１１´およびカバー１４´の各パーツが組み立てられる様子を示している。
【００１９】
なお、同図において、図6と同一または対応する構成部分には同一またはダッシュを付した符号を用いて示し、詳細な説明は省略し、以下では図6と相違する部分を中心に説明する。
【００２０】
同図において、ＰＣ板１´上には、その左前端部に４連の電話回線側差込式端子３´が、また、右前端部に２連の端末装置側差込式端子４´がそれぞれ、伝送制御を行う電子部品とともに、ハンダ付等により固定されている。
【００２１】
これらの、差込式端子３´および４´は、突起３Ａおよび４Ａを押すと、前方斜面にあけられている配線孔３Ｂおよび４Ｂに導線が挿入可能となり、挿入した状態で突起３Ａおよび４Ａを離すと、導線が配線孔３Ｂおよび４Ｂ内に固定接続されるようにうなっている。また、差込式端子３´および差込式端子４´の前面斜面は下部垂直面より前方に突出し、ひさし状の前面突起部３Ｃおよび４Ｃが形成されている。
【００２２】
一方、端子ブロック２´は、垂直板２Ａおよび水平板２ＢがL字型に結合され、水平板２Ｂの左端には電話回線側差込式端子３´を挿入する端子穴１７が、また、右端には端末装置側差込式端子４´を挿入する端子穴１８がそれぞれ形成されている。これらの端子穴１７および１８の周囲の前記水平板２Ｂ上には、後述するように、差込式端子３´および差込式端子４´の周囲を支持する枠体１９、２０が設けられている。枠体１９は差込式端子３´の周囲を支持する前面板１９Ａ、背面板１９Ｂ、左右側面板１９Ｃ、１９Ｄから構成されており、上部は開放されている。また、前面板１９Ａは他の壁より短く構成されており、左右側面板１９Ｃ、１９Ｄの上部は前面板１９Ａの上端に連続するように、角部が切除されている。さらに、背面板１９Ｂの両側は側面板１９Ｃ、１９Ｄとの間に形成されたスリット１９Ｅにより分離されており、背面板１９Ｂは両側の側面板１９Ｃ、１９Ｄに対して後方に湾曲可能になっている。枠体２０は前面板２０Ａ、背面板２０Ｂ、左右側面板２０Ｃ、２０Ｄ、スリット２０Ｅから構成されており、その構造は枠体１９と同じである。これらの枠体１９、２０の前面板１９Ａおよび２０Ａの上端部には、後述するように、端子ブロック２をＰＣ板１に結合したとき、差込式端子３´および差込式端子４´の前面突起部３Ｃおよび４Ｃが係合する構成となっている。
【００２３】
端子ブロック２´を構成する水平板２Ｂの前部両端部には後述するように、ケース１１に取り付けるビス穴２１が明けられており、また、中央部には仕切り板２２が設けられている。すなわち、仕切り板２２は水平板２Ｂに対してその面が垂直になるように設けられ、その後辺は端子ブロック２´の垂直板２Ａに接触しており、前部上隅部は一部切除され傾斜している。
【００２４】
さらに、仕切り板２２の両側の水平板２Ｂ上には、その前端部より後方の部分に台状部２３が設けられ、この部分に所定の長さの溝２４Ａ、２４Ｂが形成されている。これらの溝２４Ａ、２４Ｂは後述するように、ストリップゲージとして用いられる。この端子ブロック２´は、金型を用いたプラスチックモールドにより一体成型される。
【００２５】
ケース１１´は前述したように、その前面にカバー１４を被せる形状になっている。そして、ケース１１´の底面前端部にはカバー１４を固定するためのネジ孔１６と端子ブロック２´を固定するネジ孔２５とがあけられており、このうち、ネジ孔２５は底面両端にあけられている。また、カバー１４の前面中央にケース１１´に固定するネジ１５が設けられている。
【００２６】
次に、このように構成された各構成部品を用いた伝送制御装置の組み立て方法について説明する。先ず、端子ブロック２´をＰＣ板１の上方から下方（矢示３０方向）に移動させ、ＰＣ板１上の差込式端子３´および差込式端子４´をそれぞれ端子ブロック２´の端子穴１７および１８を介してそれぞれの枠体１９、２０内に圧入する。差込式端子３´および差込式端子４´は、それぞれ枠体１９、２０内を上方に移動し、前面斜面により枠体１９、２０の背面板１９Ｂおよび２０Ｂを後方に押して湾曲させて枠体の開口面積を拡大し、前面突起部３Ｃおよび４Ｃが前面板１９Ａおよび２０Ａの上端に達すると、背面板１９Ｂおよび２０Ｂはその弾性力により垂直面に復帰して枠体の開口面積も元の大きさに復帰する。この状態で枠体１９、２０はそれぞれ差込式端子３´および差込式端子４´を強固に支持する。このように差込式端子３´および差込式端子４´は、枠体１９、２０内にその下部から上方に圧入することにより、枠体１９、２０を構成する背面板１９Ｂおよび２０Ｂの弾性力を利用したスナップアクションにより、端子ブロック２をＰＣ板１にワンタッチで固定することができる。なお、枠体１９、２０は、それらの背面板１９Ｂおよび２０Ｂに限らず、前面板１９Ａおよび２０Ａあるいは左右側面板１９Ｃ、１９Ｄあるいは２０Ｃ、２０Ｄにスリットを設けてそれらの弾性力を利用することも可能である。
【００２７】
図２は端子ブロック２´がＰＣ板１´固定された状態における、差込式端子４´および枠体２０の関係を示す断面図である。差込式端子４´は枠体２０内に保持され、ひさし状の前面突起部４Ｃは前面壁２０Ａの上端部に係合している。また、差込式端子４´はその本体部周囲を取り囲む前面板２０Ａ、背面板２０B、左右側面板２０Ｃ、２０Ｄにより、隙間なく確実に支持されている。
【００２８】
この状態においては、ＰＣ板１´と端子ブロック２´とは、前方向からの力（矢印２８）および配線接続時に加わる左斜め方向からの力（矢印２９）に対しては、端子ブロック２´の背面板１９Ｂ，２０Ｂがその力を受け止め、上方向からの力（矢示３０）に対しては、差込式端子３′，４´の前面突起部３Ｃ，４Ｃが係合する端子ブロック２´の前面板１９Ａ，２０Ａの上端部で受け止める構成となっている。
【００２９】
また、ＰＣ板１′を上下方向に押す力（矢示３２、３４）に対しては、差込式端子４´に接触する端子ブロック２´の前面板１９Ａ，２０Ａと背面板１９Ｂ，２０Ｂで受け止め、ＰＣ板１´と端子ブロック２´とは相互に隙間なく確実に固定できることになる。
【００３０】
このように一体化されたＰＣ板１´と端子ブロック２´とは、図１に示されるように、ケース１１´内にその前面から収納し、ネジ２６をネジ孔２１および２５に通して締め付け、ケース１１´の底部に固定する。
【００３１】
そして、最後にカバー１４をケース１１´の前面に勘合させ、ネジ１５をネジ孔１６に通してケース１１´の底部に固定する。
【００３２】
次に、上述した端子ブロック２´の中央部に設けた仕切り板２２の作用効果について図３乃至図４について説明する。
【００３３】
図３は、上述した伝送制御装置に電話回線および端末装置からの配線が接続された状態を示す平面図である。図中、図１、図２と同一部分には同一の符号が付されている。同図において、電話回線側配線３５と端末装置側配線３６とは、ケース１１´に収納された差込式端子３´と差込式端子４´それぞれに差込接続される。この配線接続後、端子ブロック２´と配線が接続された差込式端子３´および４´部分をカバー１４（図1）で覆うが、その際、配線は多少の引張りにも耐えられるよう、ある程度の余裕を持たせる必要がある。そのため、配線を一度折り返した状態でカバー１４内に納められる。そしてこの折り返し部３５´、３６´はそれぞれ、仕切り板２２面の反対側に接触するように配置される。
【００３４】
このように、端子ブロック２に仕切り板２２を設けることにより、この仕切り板２２が狭いスペースでの配線折り返し作業時に、折り返し長さの目安となるため、配線の折り返し作業が容易に、かつ確実に行えるようになる。
【００３５】
また、仕切り板２２を設けたことで、電話回線側の配線３５と端末装置側の配線３６との交差を防ぐことが出来るため、双方の配線が容易に行えるようになる。
【００３６】
さらに、端子ブロック２に仕切り板２２を設けたことにより、耐雷性能をも向上させることができる。この耐雷性能の向上についてはさらに図4を用いて説明する。図４は、本発明による伝送制御装置の耐雷性能を説明するための端子ブロック２´の正面図である。
【００３７】
一般に、伝送制御装置には耐雷性が要求されるが、伝送制御装置における耐雷性は電話回線の結線部分と端末装置の結線部分との間の直線距離Ｌによって決まるものである。したがって、図４において、仕切り板２２が設けられていない場合には、伝送制御装置の絶縁距離は差込式端子３´の差込式端子４´に最も近い内側端子と、差込式端子４´の差込式端子３´に最も近い内側端子との最小距離Ｌとなる。ところが、端子ブロック２´の差込式端子３´および差込式端子４´との間に仕切り板２２を設けることにより、絶縁距離は仕切り板２２を迂回する距離となるため、実際の絶縁距離Ｉは、
Ｉ＝ａ＋ｂ＋ｃ  となり、当然、Ｉ＞Ｌとなる。
【００３８】
但し、ａは差込式端子３′の内側端子３７の先端と仕切り板２２の先端との距離、ｂは仕切り板２２の厚さ、ｃは差込式端子４′の内側端子３８の先端と仕切り板２２の先端との距離である。
【００３９】
このように、端子ブロック２´内に電話回線側の結線部と端末装置側の結線部との間に仕切り板２２を設けたことで、両結線部間の絶縁距離Ｉを仕切り板２２の寸法に応じて増大することができ、伝送制御装置の耐雷性能を向上させることが出来る。
【００４０】
次に、上述した端子ブロック２´の台状部２３に設けた所定の長さの溝２４Ａ、２４Ｂにより構成されるストリップゲージについて図５により説明する。
【００４１】
図５（Ａ）は、ＰＣ板１´が結合された端子ブロック２´の平面図、（Ｂ）はストップゲージ部分の拡大斜視図、（Ｃ）は端子ブロック２´の側面図である。
【００４２】
同図（Ａ）および（Ｂ）において、電話回線からの配線あるいは端末装置からの配線４０を電話回線側結線部の差込式端子３´あるいは端末装置側結線部の差込式端子４´に挿し込むにあたっては、配線４０の導線部分を露出するために、配線の被覆を引き剥がすことが必要となる。その際、差込式端子に確実に接続させるための最適な導線の長さが要求される。したがって、端子ブロック２´内には、最適な導線長さを示した溝２４Ａ（２４Ｂ）を設けており、配線４０の被覆を引き剥がす際には、被覆の付いた状態の導線４０をストリップゲージ用の溝２４Ａ（２４Ｂ）に挿入し、溝内に収まった長さを目視確認、またはペン等でマーキングし、その部分から被覆を引き剥がす。そして、同図（Ｃ）に示すように、被覆が剥がされた導線部分４１を差込式端子３´あるいは４´の結線穴４２に差込み結線する。
【００４３】
このように、端子ブロック２内に結線に最適な導線の長さを示す溝２４Ａ（２４Ｂ）を設けることでストリップゲージを形成し、被覆の引き剥がし長さのバラツキを防ぐことが出来、その結果、より確実な結線を実現させることが出来る。
【００４４】
以上本発明の実施形態を詳細に説明したが、本発明はこれらの実施形態に限られるものではなく、本発明の思想の範囲内で種々の変形が可能である。たとえば、上記端子ブロック２´の枠体１９、２０は、必ずしも筒状である必要はなく、左右側板１９Ｃ、１９Ｄ、２０Ｃ、２０Ｄを省略してもよい。また、枠体１９、２０に弾性力を付与する手段としては、スリットを形成する手段に限らず、枠体の材質を弾性体で構成してもよい。
【００４５】
【発明の効果】
上記した本発明によれば、端子ブロックをＰＣ板に組み合わせ一体化する際、端子ブロックに、ＰＣ板に搭載された差込式端子を垂直方向に挿入する弾性支持枠を設け、この支持枠の上端部に、差込式端子の前面に形成された突起を係合することによって、ワンタッチで一体化することができる。また、上記の構成により、端子ブロックはＰＣ板に搭載された差込式端子に対して隙間なく結合することができ、気密性を高めることができるため、配線パターンの腐食や劣化の促進を防止することができる。
【００４６】
また、本発明の端子ブロックよれば、端子ブロックにリード部スリットを設ける必要がないので、金型が簡単になり、その分型代が安価となってコスト面で有利となる。
【００４７】
さらに、本発明によれば、端子ブロックに遮蔽壁を設けたので、伝送制御装置の耐雷性を高めることが出来ることは勿論、差込式端子への導線接続が容易になり、作業効率を一層向上させることが出来る。
【００４８】
さらに、本発明によれば、端子ブロックにストップゲージ用の溝を設けているので、導線の被覆を正確に引き剥がすことが出来、バラツキのない導線部分の長さを維持されるため、伝送制御装置としての信頼性を高めることが出来る。
【図面の簡単な説明】
【図１】本発明の実施形態である伝送制御装置の構造を分解して示す斜視図である。
【図２】本発明による端子ブロックをＰＣ板に組み合わせた状態を示す断面図である。
【図３】本発明の伝送制御装置に電話回線および端末装置からの配線が接続された状態を示す平面図である。
【図４】本発明による伝送制御装置の耐雷性能を説明するための説明図である。
【図５】本発明による伝送制御装置のストリップゲージ機能を説明する図である。
【図６】従来の伝送制御装置の構造を示す分解斜視図である。
【符号の説明】
１、１´  ＰＣ板
２、２´  端子ブロック
３、３´  電話回線側差込式端子
４、４´  端末装置側差込式端子
３Ｃ、４Ｃ  前面突起部
１１、１１´  ケース
１４  カバー
１７、１８  差込端子穴
１９Ａ、２０Ａ  前面板
１９Ｂ、２０Ｂ  背面板
２２  仕切り板
２４Ａ、２４Ｂ  ストリップゲージ用の溝
３５  電話回線側配線
３６  端末装置側配線
４０  導線
【図１】
0004128724.tif 000002
【図２】
0004128724.tif 000003
【図３】
0004128724.tif 000004
【図４】
0004128724.tif 000005
【図５】
0004128724.tif 000006
【図６】
0004128724.tif 000007